(57)【要約】      （修正有）【課題】シーズン終了後に蔓性植物を容易に取り外すことができる蔓性植物補助具を提供する。【解決手段】吊り下げて使用する蔓性植物補助具１００は、一端が互いに連結された一方向に伸びる可撓性の複数の線状体１１１〜１１７を備えた縦部材１１０と、外縁に沿って互いに間隔を空けて設けられた複数の凹部及び連結部を含む横部材１２０とを有しており、複数の凹部は複数の線状体を抜き差し自在に構成されており、連結部は複数の線状体と連結して横部材１２０を複数の線状体の所定位置に保持可能に構成されており、複数の線状体を複数の凹部に挿入すると縦部材１１０と横部材１２０とが交差するように連結され、この連結状態で、複数の線状体を引っ張ると縦部材１１０と横部材１２０が分離するように構成されていることを特徴とする。【選択図】図１
0003181655.tif 000002
【実用新案登録請求の範囲】
【請求項１】
吊り下げて使用する蔓性植物補助具であって、一端が互いに連結された一方向に伸びる可撓性の複数の線状体を備えた縦部材と、外縁に沿って互いに間隔を空けて設けられた複数の凹部、及び連結部を含む横部材とを有しており、前記複数の凹部は前記複数の線状体を抜き差し自在に構成されており、前記連結部は前記複数の線状体と連結して前記横部材を前記複数の線状体の所定位置に保持可能に構成されており、前記複数の線状体を前記複数の凹部に挿入すると前記縦部材と前記横部材とが交差するように連結され、この連結状態で、前記複数の線状体を引っ張ると前記縦部材と前記横部材が分離するように構成されていることを特徴とする蔓性植物補助具。
【請求項２】
前記横部材は一方向に伸びる板状であり、前記複数の凹部が前記横部材の長手方向に伸びる両側又は一側に設けられていることを特徴とする請求項１に記載の蔓性植物補助具。
【請求項３】
前記複数の凹部の開口は前記横部材の外縁側が内側より狭くなるように形成されていることを特徴とする請求項１又は請求項２に記載の蔓性植物補助具。
【請求項４】
前記連結部は前記横部材の両端部に設けられ、前記横部材の横幅方向に突出しており、前記複数の線状体を巻き付け可能に構成されていることを特徴とする請求項２又は請求項３に記載の蔓性植物補助具。
【請求項５】
前記連結部は前記横部材の中心線に対応する部分に全周に亘って環状溝が形成されていることを特徴とする請求項４に記載の蔓性植物補助具。
【考案の詳細な説明】
【技術分野】
【０００１】
本考案は、朝顔等の蔓性植物を支持する蔓性植物補助具に関し、特に、吊り下げて使用する蔓性植物補助具に関する。
【背景技術】
【０００２】
従来から、吊り下げて使用する蔓性植物補助具は知られており、例えば、特許文献１に記載されている。特許文献１に記載の蔓性植物補助具（朝顔の生育補助用品）は、上下一対の横棒（支柱）と、この一対の横棒の間に掛け渡され、この一対の横棒に沿って互いに間隔を空けて配列された複数の縦紐（縦部材）と、この複数の縦紐に交差するように互いに間隔を空けて配列された複数の横紐（横部材）とを有し、複数の縦紐と複数の横紐は交差位置で互いに結束されて全体として網状に構成されている。これにより、シーズン終了後に、一対の横棒の一方に巻き付けて収納できる。なお、以下の特許文献２と特許文献３にも、特許文献１と同様な種類の蔓性植物補助具が記載されている。
【０００３】
また、特許文献４には網を吊り下げるための緑化ネット保持具が記載されている。特許文献４に記載の緑化ネット保持具は、一辺に２以上の切込みを備えたネット固定部と、このネット固定部に固定され、軒天（軒裏天井）等に取り付け可能な取付き部とを有しており、取付き部を軒天に固定した状態で、ネット固定部の切込みに市販の網（緑化ネット）を引っ掛けて軒下に吊り下げるものである。これにより、一対の横棒等を使用することなく網を保持できる。
【先行技術文献】
【特許文献】
【０００４】
【特許文献１】特開２００６−２７１３６４号公報
【特許文献２】実公昭４８−１２３６１号公報
【特許文献３】実公昭１５−１０１１４号公報
【特許文献４】特開２０１２−２４０３６号公報
【考案の概要】
【考案が解決しようとする課題】
【０００５】
特許文献１に記載の蔓性植物補助具を用いて朝顔等の蔓性植物を這い上がらせると、蔓性植物が蔓性植物補助具の網に絡み付く。このため、シーズン終了後に蔓性植物補助具を片付ける際には、蔓性植物を網から取り外す必要があるが、この作業は煩雑であり、手間がかかるという問題がある。
【０００６】
そこで、本考案は上記問題点を解決するものであり、その課題は、蔓性植物を網から容易に取り外すことができる蔓性植物補助具を提供することにある。
【課題を解決するための手段】
【０００７】
上記課題を解決するための本考案の蔓性植物補助具は、吊り下げて使用する蔓性植物補助具であって、一端が互いに連結された一方向に伸びる可撓性の複数の線状体を備えた縦部材と、外縁に沿って互いに間隔を空けて設けられた複数の凹部、及び連結部を含む横部材とを有しており、前記複数の凹部は前記複数の線状体を抜き差し自在に構成されており、前記連結部は前記複数の線状体と連結して前記横部材を前記複数の線状体の所定位置に保持可能に構成されており、前記複数の線状体を前記複数の凹部に挿入すると前記縦部材と前記横部材とが交差するように連結され、この連結状態で、前記複数の線状体を引っ張ると前記縦部材と前記横部材が分離するように構成されていることを特徴とする。
【０００８】
この考案によれば、吊り下げて使用する蔓性植物補助具であって、一端が互いに連結された一方向に伸びる可撓性の複数の線状体を備えた縦部材と、外縁に沿って互いに間隔を空けて設けられた複数の凹部、及び連結部を含む横部材とを有しており、前記複数の凹部は前記複数の線状体を抜き差し自在に構成されており、前記連結部は前記複数の線状体と連結して前記横部材を前記複数の線状体の所定位置に保持可能に構成されており、前記複数の線状体を前記複数の凹部に挿入すると前記縦部材と前記横部材とが交差するように連結され、この連結状態で、前記複数の線状体を引っ張ると前記縦部材と前記横部材が分離するように構成されていることにより、前記横部材における前記複数の凹部は前記縦部材の前記複数の線状体を抜き差し自在に構成されており、前記複数の線状体を前記複数の凹部に挿入すると前記縦部材と前記横部材が交差するように連結され、この連結状態で、前記複数の線状体を引っ張ると前記縦部材と前記横部材が分離するので、前記縦部材と前記横部材を容易に連結したり分離したりすることができる。また、前記複数の線状体は一端が互いに連結されているので、前記複数の線状体を１本ずつ前記横部材に結束させることなく、前記複数の線状体の少なくとも１本を前記横部材の前記連結部に取り付けるだけで前記縦部材全体と前記横部材を連結できるとともに、前記複数の線状体の少なくとも１本を前記横部材の前記連結部から取り外すだけで前記縦部材全体と前記横部材を分離できる。
【０００９】
ここで、前記複数の線状体は糸状や紐状や帯状である。前記複数の線状体の一端が互いに連結されているとは、複数の線状体を一端で結束したものでもよいし、複数の線状体が一端で繋がっているものでもよい。例えば、一端が繋がった状態で１本のビニールテープを長手方向に複数に引き裂いたものである。また、前記横部材は一方向に伸びていてもよいし、円弧状に湾曲していてもよいし、円板状でもよいし、リング状でもよい。また、前記横部材は板状でもよいし、断面形状が円形や楕円形や多角形等の棒状でもよい。また、前記横部材の前記複数の凹部は前記複数の線状体の１本又は２本以上を挿入すると押し広げられるように弾性変形可能に構成されていてもよい。これにより、前記複数の凹部が前記複数の線状体を狭持できる。
【００１０】
本考案の一の態様においては、前記横部材は一方向に伸びる板状であり、前記複数の凹部が前記横部材の長手方向に伸びる両側又は一側に設けられている。これによれば、前記横部材が断面円形の棒状であり、その外周部に前記複数の凹部が設けられている場合に比べて、前記複数の線状体が前記複数の凹部から抜け出てしまうこと低減できる。
【００１１】
本考案の他の態様においては、前記複数の凹部の開口は前記横部材の外縁側が内側より狭くなるように形成されている。これによれば、前記複数の線状体が前記複数の凹部の狭くなっている部分に引っ掛かるので、前記複数の凹部の開口が前記横部材の外縁から内側まで同一の大きさになっている場合に比べて、前記複数の線状体が前記複数の凹部から抜け出てしまうことを低減できる。具体的には、前記複数の凹部における前記横部材の外縁側に一対の突起部が対向するように設けられているものでもよいし、前記複数の凹部における前記横部材の内側が外縁側の開口幅より幅広の内径を備えた円形にくり抜かれているものでもよい。
【００１２】
本考案の別の態様においては、前記連結部は前記横部材の両端部に設けられ、前記横部材の横幅方向に突出しており、前記複数の線状体を巻き付け可能に構成されている。これによれば、前記複数の線状体を前記連結部に巻き付けると、前記複数の線状体は前記横部材の長手方向に対して直交する方向に伸びる軸線周りに巻き付くので、前記複数の線状体が前記横部材の長手方向に伸びる軸線周りに巻き付く場合に比べて、前記横部材を水平姿勢に近づけて前記複数の線状体に吊り下げることができ、前記複数の線状体を前記複数の凹部に挿入し易くすることができる。なお、前記連結部は真っ直ぐに伸びていてもよいし、円弧状に湾曲していてもよい。
【００１３】
本考案の別の態様においては、前記連結部は前記横部材の中心線に対応する部分に全周に亘って環状溝が形成されている。これによれば、前記複数の線状体を前記環状溝に挿入するように前記連結部に巻き付けると、前記複数の線状体が前記横部材の中心線上に位置決めされるので、前記複数の線状体が前記横部材の中心線から前記横部材の両側のいずれか一方に寄った位置に配置される場合に比べて、前記横部材を水平姿勢に近づけて前記複数の線状体に吊り下げることができ、前記複数の線状体を前記複数の凹部に挿入し易くすることができるとともに、前記複数の線状体を前記連結部から抜け難くすることができる。
【考案の効果】
【００１４】
以上、説明したように本考案によれば、横部材は複数の線状体を抜き差し可能に形成された複数の切り込みを備えているので、複数の線状体と横部材とを容易に連結できるとともに容易に分離できるという優れた効果を奏し得る。
【図面の簡単な説明】
【００１５】
【図１】本考案に係る実施形態の蔓性植物補助具の使用状態を模式的に示す概略正面図である。
【図２】横部材を示す概略斜視図である。
【図３】図２の二点鎖線ＩＩＩで囲まれた部分を示す拡大図である。
【図４】別の横部材を示す概略斜視図である。
【図５】他の横部材を示す概略斜視図である。
【図６】蔓性植物補助具の縦部材と横部材との連結状態の変形例を示す概略正面図である。
【考案を実施するための形態】
【００１６】
以下、本考案に係る実施形態の蔓性植物補助具について詳細に説明する。図１は本考案に係る実施形態の蔓性植物補助具の使用状態を模式的に示す概略正面図である。図２は横部材を示す概略斜視図である。図３は図２の二点鎖線ＩＩＩで囲まれた部分を示す拡大図である。図１に示すように、蔓性植物補助具１００は縦部材１１０と横部材１２０とを有している。
【００１７】
この縦部材１１０は複数の線状体１１１、１１２、１１３、１１４、１１５、１１６、１１７と吊り下げ具１１９とを含んでいる。この複数の線状体１１１〜１１７はそれぞれ糸や紐の如く一方向に伸びる可撓性の部材であり、折り曲げ可能に構成されている。この複数の線状体１１１〜１１７は一端が互いに連結されており、全体が１つに繋がっている。例えば、この縦部材１１０は一端が繋がった状態で１つのビニールテープを長手方向に複数に引き裂いたものである。
【００１８】
吊り下げ具１１９は軒天等に取り付け可能に構成されており、複数の線状体１１１〜１１７が互いに連結した部分に設けられている。このため、吊り下げ具１１９を軒天等の上方位置に取り付けると、複数の線状体１１１〜１１７は吊り下げ具１１９から垂れ下がり、上下方向に伸びる。図示例では、この吊り下げ具１１９は円環状の金具である。
【００１９】
図２に示すように、横部材１２０は、一方向に伸びる合成樹脂製の平板であり、形状保持可能な剛性を備えている。この横部材１２０は凹部１２０ａ、１２０ｂと連結部１２３、１２４を有している。この凹部１２０ａ、１２０ｂは横部材１２０の長手方向に伸びる両側にそれぞれ複数設けられている。一方の複数の凹部１２０ａは一方の側縁１２１に沿って互いに間隔を空けて配列されており、他方の複数の凹部１２０ｂは他方の側縁１２２に沿って互いに間隔を空けて配列されている。これら一方の凹部１２０ａと他方の凹部１２０ｂとは互いに対応する位置に設けられている。
【００２０】
図３に示すように、一方の凹部１２０ａは一方の側縁１２１から内側に向かって凹んでいるとともに、他方の凹部１２０ｂは他方の側縁１２２から内側に向かって凹んでいる。これら凹部１２０ａ、１２０ｂはそれぞれ横部材１２０の上面１２０Ａから下面１２０Ｂまで貫通しており、横部材１２０の厚み方向に開口している。これら一方の凹部１２０ａと他方の凹部１２０ｂとは横部材１２０の中心線Ｃ１を挟んで左右対称の形状になっている。
【００２１】
これら一方の凹部１２０ａと他方の凹部１２０ｂとは、それぞれ上記複数の線状体１１１〜１１７のうちの１本又は２本以上を抜き差し自在に構成されている。具体的には、これら一方の凹部１２０ａと他方の凹部１２０ｂとは、それぞれ１本の線状体１１１〜１１７を挿入したり、２本以上の線状体１１１〜１１７を束ねてなる１束の線状体１１１〜１１７を挿入したりすることができるように構成されているとともに、これら１本又は１束の線状体１１１〜１１７を凹部１２０ａ、１２０ｂの中から引き出したりすることができるように構成されている。このため、横部材１２０は複数の線状体１１１〜１１７を着脱自在に構成されており、１本又は１束の線状体１１１〜１１７を凹部１２０ａ、１２０ｂのいずれかに挿入すると、この線状体１１１〜１１７は横部材１２０に交差するように引っ掛かる。
【００２２】
これら凹部１２０ａ、１２０ｂの中には、一対の突起部１２０ａａ、１２０ａｂ、１２０ｂａ、１２０ｂｂがそれぞれ設けられている。一方の凹部１２０ａにおける一対の突起部１２０ａａ、１２０ａｂは、凹部１２０ａの内面にそれぞれ設けられて互いに対向している。この状態で、これら一対の突起部１２０ａａ、１２０ａｂは横部材１２０の側縁１２１から内側に向かって互いに近づくように突出しており、一対の突起部１２０ａａ、１２０ａｂの先端が最も接近している。このため、凹部１２０ａの開口は一対の突起部１２０ａａ、１２０ａｂによって横部材１２０の側縁１２１から内側に向かって徐々に狭くなっており、横部材１２０の側縁１２１の側に比べて横部材１２０の内側が狭くなっている。これにより、複数の線状体１１１〜１１７が凹部１２０ａの中から抜け出てしまうことを低減できる。
【００２３】
同様に、他方の凹部１２０ｂにおける一対の突起部１２０ｂａ、１２０ｂｂは、凹部１２０ｂの内面にそれぞれ設けられて互いに対向している。この状態で、これら一対の突起部１２０ｂａ、１２０ｂｂは横部材１２０の側縁１２２から内側に向かって互いに近づくように突出しており、一対の突起部１２０ｂａ、１２０ｂｂの先端が最も接近している。このため、凹部１２０ｂの開口は一対の突起部１２０ｂａ、１２０ｂｂによって横部材１２０の側縁１２２から内側に向かって徐々に狭くなっており、横部材１２０の側縁１２２の側に比べて横部材１２０の内側が狭くなっている。これにより、複数の線状体１１１〜１１７が凹部１２０ｂの中から抜け出てしまうことを低減できる。
【００２４】
また、一対の突起部１２０ａａ、１２０ａｂのそれぞれと、一対の突起部１２０ｂａ、１２０ｂｂのそれぞれとは、平面から見て三角形であり、横部材１２０の内側に配置された先端が尖っている。このため、複数の線状体１１１〜１１７は一対の突起部１２０ａａ、１２０ａｂの間と、一対の突起部１２０ｂａ、１２０ｂｂの間とをそれぞれ通過し難くすることができ、複数の線状体１１１〜１１７がこれら凹部１２０ａ、１２０ｂの中から抜け出てしまうことをさらに低減できる。
【００２５】
図示例では、これら突起部１２０ａａ、１２０ａｂ、１２０ｂａ、１２０ｂｂは横部材１２０に一体形成されているが、別部材として構成されていてもよい。この場合において、これら突起部１２０ａａ、１２０ａｂ、１２０ｂａ、１２０ｂｂはゴムの如く弾性変形可能な材質から構成されていることが望ましい。これにより、複数の線状体１１１〜１１７が凹部１２０ａ、１２０ｂの中から抜け出てしまうことを低減しつつ、複数の線状体１１１〜１１７をこれら突起部１２０ａａ、１２０ａｂ、１２０ｂａ、１２０ｂｂに押し当てることによって、突起部１２０ａａ、１２０ａｂ、１２０ｂａ、１２０ｂｂを弾性変形させて、複数の線状体１１１〜１１７を凹部１２０ａ、１２０ｂの中から容易に引き抜くことができる。
【００２６】
図２と図３に示すように、上記連結部１２３、１２４は小片部分であり、複数の線状体１１１〜１１７の１本又は２本以上を巻き付け可能に構成されており、横部材１２０の両端部にそれぞれ設けられている。このため、複数の線状体１１１〜１１７をこれら連結部１２３、１２４のいずれかに巻き付けると、横部材１２０は複数の線状体１１１〜１１７の長手方向における所定位置に連結され、この連結位置から重力によって下がらないように保持される。さらに、複数の線状体１１１〜１１７をこれら連結部１２３、１２４の双方に巻き付けると、横部材１２０は複数の線状体１１１〜１１７に対して交差した姿勢（水平姿勢）で複数の線状体１１１に連結される。
【００２７】
具体的には、横部材１２０の両端から内側に所定距離入った位置に切り込み１２７、１２８がそれぞれ形成されている。これら切り込み１２７、１２８は、横部材１２０の他方の側縁１２２から一方の側縁１２１に向かって横部材１２０の横幅方向（横部材１２０の長手方向に対して直交する方向）に横部材１２０の中心線Ｃ１を超えた位置まで伸びており、横部材１２０の上面１２０Ａから下面１２０Ｂまで貫通しており、横部材１２０の厚み方向に開口している。また、これら切り込み１２７、１２８は複数の線状体１１１〜１１７の１本又は２本以上を抜き差し自在に構成されている。このため、複数の線状体１１１〜１１７を横部材１２０の側縁１２２から切り込み１２７、１２８の中に挿入して移動させると、複数の線状体１１１〜１１７は横部材１２０の側縁１２２から内側まで切り込み１２７、１２８に沿って案内される。
【００２８】
これら切り込み１２７、１２８の入り口、つまり、切り込み１２７、１２８における横部材１２０の側縁１２２の側は、平面から見てＶ字状に形成されており、横部材１２０の内側から外側に向かって開いている。言い換えると、これら切り込み１２７、１２８の入口は横部材１２０の側縁１２２の側から内側に向かって徐々に狭くなっている。これにより、複数の線状体１１１〜１１７を横部材１２０の外側から切り込み１２７、１２８の中に容易に挿入できる。
【００２９】
横部材１２０の両端には上記連結部１２３、１２４がそれぞれ設けられている。これら連結部１２３、１２４は、角柱状であり、横部材１２０の中心線Ｃ１の近くから他方の側縁１２２に向かって横部材１２０の横幅方向に突出しており、上記切り込み１２７、１２８の隣に配置されている。このため、これら連結部１２３、１２４は複数の線状体１１１〜１１７を切り込み１２７、１２８に挿入して巻き付けることができるようになっているとともに、複数の線状体１１１〜１１７を連結部１２３、１２４に巻き付けた状態で、複数の線状体１１１〜１１７は横部材１２０の横幅方向（横部材１２０の長手方向に対して直交する方向）に伸びる軸線回りに巻回されるようになっている。これにより、複数の線状体１１１〜１１７を横部材１２０の長手方向に伸びる軸線回りに巻き付ける場合に比べて、横部材１２０に対する複数の線状体１１１〜１１７の吊り下げ位置が横部材１２０の横幅方向にずれてしまうことを低減でき、横部材１２０をより水平な姿勢で吊り下げることができる。
【００３０】
これら連結部１２３、１２４はそれぞれ環状溝１２３ａを有している。この環状溝１２３ａは横部材１２０の長手方向に伸びる中心線Ｃ１上に配置されており、連結部１２３、１２４の外周に沿って周回状に形成されており、複数の線状体１１１〜１１７の１本又は２本以上を挿入可能に構成されている。これにより、複数の線状体１１１〜１１７を環状溝１２３ａに挿入するように連結部１２３、１２４に巻き付けると、複数の線状体１１１〜１１７は横部材１２０の中心線Ｃ１上に位置決めされるとともに、連結部１２３、１２４から抜け難くなる。
【００３１】
図示例では、これら連結部１２３、１２４は横部材１２０の中心線Ｃ１から一方の側縁１２１に寄った位置から、横部材１２０の中心線Ｃ１と他方の側縁１２２の間の位置まで突出しており、連結部１２３、１２４の全長ｄが横部材１２０の横幅長の略４分の１の長さになっている。このため、連結部１２３、１２４の先端は横部材１２０の側縁１２２に対応する位置より横部材１２０の内側に配置されており、切り込み１２７、１２８に繋がる段差が露出している。これにより、この段差を利用して複数の線状体１１１〜１１７を切り込み１２７、１２８の中に容易に挿入できる。なお、連結部１２３、１２４の全長ｄはこれより長くてもよいし、短くてもよい。例えば、連結部１２３、１２４は横部材１２０の中心線Ｃ１から一方の側縁１２１に寄った位置から他方の側縁１２２に対応する位置まで突出しており、連結部１２３、１２４の全長ｄが横部材１２０の横幅長の略半分の長さになっていてもよい。
【００３２】
ここで、これら連結部１２３、１２４の双方は横部材１２０の中心線Ｃ１の近くから他方の側縁１２２に向かって突出しているが、この反対方向に突出していてもよいし、互いに異なる方向に突出していてもよい。具体的には、これら連結部１２３、１２４の双方は横部材１２０の中心線Ｃ１から他方の側縁１２２に寄った位置から一方の側縁１２１に向かって突出していてもよいし、これら連結部１２３、１２４のいずれか一方が横部材１２０の中心線Ｃ１から一方の側縁１２１に寄った位置から他方の側縁１２２に向かって突出しており、他方が横部材１２０の中心線Ｃ１から他方の側縁１２２に寄った位置から一方の側縁１２１に向かって突出していてもよい。
【００３３】
図４は別の横部材を示す概略斜視図である。上記横部材１２０と同一部分についてはその説明を省略する。図４に示すように、別の横部材１３０は上記横部材１２０と同様に、一方向に伸びる合成樹脂製の平板であり、凹部１３０ａ、１３０ｂと連結部１３３、１３４を有している。これら凹部１３０ａ、１３０ｂは横部材１２０の凹部１２０ａ、１２０ｂと同様に、横部材１３０の両側にそれぞれ互いに間隔を空けて複数設けられており、横部材１３０の側縁１３１、１３２から内側に向かってそれぞれ凹んでおり、横部材１３０の上面１３０Ａから下面１３０Ｂまで貫通しており、横部材１３０の厚み方向に開口している。これら凹部１３０ａ、１３０ｂは横部材１３０の内側が側縁１３１、１３２の側の開口幅より幅広の内径を備えた円形にくり抜かれており、側縁１３１、１３２の側が横部材１３０の内側に比べて狭くなっている。これにより、複数の線状体１１１〜１１７を凹部１３０ａ、１３０ｂの中から抜け難くすることができる。
【００３４】
また、この横部材１３０の連結部１３３、１３４は、フック状（鉤状）であり、円弧状に湾曲しており、横部材１３０の両端部にそれぞれ設けられている。一方の連結部１３３は横部材１３０の一方の側縁１３１から他方の側縁１３２に向かって伸びており、他方の連結部１３４は横部材１３０の他方の側縁１３２から一方の側縁１３１に向かって伸びている。つまり、一方の連結部１３３と他方の連結部１３４は互いに反対方向に伸びている。なお、一方の連結部１３３と他方の連結部１３４はそれぞれ図示例とは逆方向に伸びていてもよいし、これら連結部１３３、１３４の双方は同一方向に伸びていてもよい。すなわち、これら連結部１３３、１３４の双方は一方の側縁１３１から他方の側縁１３２に向かって伸びていてもよいし、他方の側縁１３２から一方の側縁１３１に向かって伸びていてもよい。
【００３５】
これら連結部１３３、１３４は環状溝１３３ａ、１３４ａをそれぞれ有している。この環状溝１３３ａ、１３４ａは、連結部１３３、１３４の外周に沿って周回状に形成されており、複数の線状体１１１〜１１７の１本又は２本以上を挿入可能に構成されている。これにより、複数の線状体１１１〜１１７を環状溝１３３ａ、１３４ａに挿入するように連結部１３３、１３４に巻き付けると、複数の線状体１１１〜１１７は連結部１３３、１３４から抜け難くなる。
【００３６】
また、これら環状溝１３３ａ、１３４ａは横部材１３０の長手方向に伸びる中心線Ｃ２に対応する部分に形成されており、連結部１３３、１３４における中心線Ｃ２に対応する部分は横部材１３０の横幅方向に伸びている。このため、複数の線状体１１１〜１１７を環状溝１３３ａ、１３４ａに巻き付けると、複数の線状体１１１〜１１７は横部材１３０の中心線Ｃ２上に位置決めされるとともに、横部材１３０の横幅方向（横部材１３０の長手方向に対して直交する方向）に伸びる軸線回りに巻き付くようになっている。したがって、複数の線状体１１１〜１１７を横部材１３０の長手方向に伸びる軸線回りに巻き付ける場合に比べて、横部材１３０に対する複数の線状体１１１〜１１７の吊り下げ位置が横部材１３０の中心線Ｃ２上から横部材１３０の横幅方向にずれることを防止でき、横部材１３０をより水平な姿勢で吊り下げることができる。
【００３７】
図５は他の横部材を示す概略斜視図である。上記横部材１２０と同一部分についてはその説明を省略する。図５に示すように、他の横部材１４０は上記横部材１２０と同様に、一方向に伸びる合成樹脂製の平板であり、凹部１４０ａ、１４０ｂと連結部１４３、１４４、１４５、１４６を有している。これら凹部１４０ａ、１４０ｂは上記横部材１２０の凹部１２０ａ、１２０ｂと同一物であり、横部材１４０の両側にそれぞれ互いに間隔を空けて複数設けられている。
【００３８】
この横部材１４０の連結部１４３、１４４、１４５、１４６は角柱状であり、横部材１４０の両端部に２つずつ設けられており、横部材１４０の長手方向に突出している。一方の端部における２つの連結部１４３、１４５は互いに間隔を空けて設けられているとともに、他方の端部における２つの連結部１４４、１４６は互いに間隔を空けて設けられている。このため、横部材１４０の両端部は先割れ二股状になっている。
【００３９】
これら連結部１４３、１４４、１４５、１４６は環状溝１４３ａ、１４４ａ、１４５ａ、１４６ａがそれぞれ設けられている。これら環状溝１４３ａ、１４４ａ、１４５ａ、１４６ａは複数の線状体１１１〜１１７の１本又は２本以上を挿入可能に構成されており、連結部１４３、１４４、１４５、１４６の外周に沿って周回状に形成されている。これにより、複数の線状体１１１〜１１７を環状溝１４３ａ、１４４ａ、１４５ａ、１４６ａに挿入するように連結部１４３、１４４、１４５、１４６に巻き付けると、複数の線状体１１１〜１１７は連結部１４３、１４４、１４５、１４６から抜け難くなる。このとき、複数の線状体１１１〜１１７は横部材１４０の長手方向に伸びる軸線周りに巻き付くようになっている。
【００４０】
なお、図示例では、連結部１４３、１４５、１４４、１４６が横部材１４０の両端部に２つずつ設けられているが、横部材１４０の両端に１つずつ設けられていてもよいし、３つ以上ずつ設けられていてもよい。また、連結部１４３、１４４、１４５、１４６には環状溝１４３ａ、１４４ａ、１４５ａ、１４６ａがそれぞれ形成されているが、これら環状溝の代わりに、連結部１４３、１４５、１４４、１４６の外径より大きい外径を備えた円環状又は角環状の鍔部がそれぞれ設けられていてもよい。
【００４１】
図１に示すように、この蔓性植物補助具１００は、縦部材１１０の吊り下げ具１１９を軒天等に取り付けた図示しないフックに引っ掛けて、縦部材１１０の７本又は７束の線状体１１１〜１１７を軒下に吊り下げてから、これら線状体１１１〜１１７のうち、２本又は２束の線状体１１１、１１２を５つの横部材１２０の両端の連結部１２３、１２４に順次取り付けるとともに、残りの５本又は５束の線状体１１３〜１１７を互いに間隔を空けて５つの横部材１２０の中間部分の凹部１２０ａ、１２０ｂのいずれか一方に順次挿入して、組み立てられる。この状態で、７本又は７束の線状体１１１〜１１７は水平方向に間隔を空けて上下方向（垂直方向）に伸びており、５つの横部材１２０は上下方向に間隔を空けて水平方向に伸びている。これら７本又は７束の線状体１１１〜１１７と５つの横部材１２０とは互いに直交するように、つまり格子状に連結されて、網（ネット）が構成される。この場合において、この蔓性植物補助具１００の下方位置に朝顔等の蔓性植物Ｖのプランター等を配置すると、蔓性植物Ｖが蔓性植物補助具１００に絡み付きながら這い上がるようになる。
【００４２】
図６（ａ）から図６（ｄ）までは蔓性植物補助具の縦部材と横部材との連結状態の変形例を示す概略正面図である。図６（ａ）では２本又は２束の線状体１１１、１１２を３つの横部材１２０の連結部１２３、１２４にそれぞれ巻き付けて、２本又は２束の線状体１１１、１１２が３つの横部材１２０の両端部に順次取り付けられている。この状態で、図６（ｂ）では１本又は１束の線状体１１３が３つの横部材１２０の中央位置の凹部１２０ａ、１２０ｂのいずれかに順次挿入されている。図６（ｃ）では３本又は３束の線状体１１３、１１４、１１５が３つの横部材１２０の中間部分の凹部１２０ａ、１２０ｂのいずれかに互いに間隔を空けて順次挿入されている。
【００４３】
図６（ｄ）では図６（ｃ）の場合と同様に全部で５本又は５束の線状体１１１、１１２、１１３、１１４、１１５が使用されている。まず、２本又は２束の線状体１１１、１１２を上段の横部材１２０における一方の連結部１２３に巻き付けてから、これら２本又は２束の線状体１１１、１１２のうち、一方の線状体１１１を中段と下段の横部材１２０、１２０における一方の連結部１２３、１２３に順次巻き付け、他方の線状体１１２を中段の横部材１２０における中央の凹部１２０ａ、１２０ｂのいずれかに挿入してから、下段の横部材１２０における一方の連結部１２３に巻き付ける。これにより、２本又は２束の線状体１１１、１１２のうち、一方の線状体１１１は３つの横部材１２０の一端を繋ぐように上下方向に伸びており、他方の線状体１１２は上段の横部材１２０の一端から中段の横部材１２０の中央まで斜めに伸びており、中段の横部材１２０の中央から下段の横部材１２０の一端まで斜めに伸びている。
【００４４】
次に、上述の２本又は２束の線状体１１１、１１２と同様に、２本又は２束の線状体１１３、１１４を上段の横部材１２０における他方の連結部１２４に巻き付けてから、これら２本又は２束の線状体１１３、１１４のうち、一方の線状体１１３を中段と下段の横部材１２０、１２０における他方の連結部１２４、１２４に順次巻き付け、他方の線状体１１４を中段の横部材１２０における中央の凹部１２０ａ、１２０ｂのいずれかに挿入してから、下段の横部材１２０における他方の連結部１２４に巻き付ける。これにより、２本又は２束の線状体１１３、１１４のうち、一方の線状体１１３は３つの横部材１２０の他端を繋ぐように上下方向に伸びており、他方の線状体１１４は上端の横部材１２０の他端から中段の横部材１２０の中央まで斜めに伸びており、中段の横部材１２０の中央から下段の横部材１２０の他端まで斜めに伸びている。
【００４５】
最後に、１本又は１束の線状体１１５を３つの横部材１２０の中央の凹部１２０ａ、１２０ｂのいずれかに順次挿入する。この線状体１１５は３つの横部材１２０の中央を順次通過するように上下方向に伸びている。このため、上下に配列された複数の横部材１２０、１２０において、線状体１１１〜１１７を水平方向に異なる位置の凹部１２０ａ、１２０ｂに挿入することにより、蔓性植物補助具１００の網目形状が三角形になる。
【００４６】
図１に示すように、上述のように構成された蔓性植物補助具１００は、蔓性植物Ｖのシーズン終了後に、７本又は７束の線状体１１１〜１１７のうち、内側の５本又は５束の線状体１１３〜１１７のそれぞれの下端をもって手前に引っ張って、これら線状体１１３〜１１７を５つの横部材１２０の凹部１２０ａ、１２０ｂから引き抜くとともに、両側の２本又は２束の線状体１１１、１１２を５つの横部材１２０の連結部１２３、１２４から取り外して、縦部材１１０と５つの横部材１２０とを分離する。
【００４７】
本実施形態においては、縦部材１１０の複数の線状体１１１〜１１７はそれぞれ一方向に伸びる可撓性の部材であり、横部材１２０は一方向に伸びており、その両側に凹部１２０ａ、１２０ｂが複数設けられており、これら凹部１２０ａ、１２０ｂは複数の線状体１１１〜１１７の１本又は２本以上を抜き差し自在に構成されているので、線状体１１１〜１１７を凹部１２０ａ、１２０ｂに挿入して縦部材１１０と横部材１２０を容易に連結できるとともに、この状態で、１本又は１束の線状体１１１〜１１７を横部材１２０から引っ張って縦部材１１０と横部材１２０を容易に分離できる。蔓性植物Ｖが蔓性植物補助具１００に絡み付いている場合には、縦部材１１０と横部材１２０を分離させることによって、蔓性植物Ｖを蔓性植物補助具１００から容易に取り外すことができる。また、線状体１１１〜１１７を挿入する凹部１２０ａ、１２０ｂの位置を変えることによって、隣り合う２本又は２束の線状体１１１〜１１７の間隔（網目の間隔）を狭めたり広げたりすることができる。
【００４８】
この実施形態においては、横部材１２０は一方向に伸びる平板であり、その両端に連結部１２３、１２４がそれぞれ設けられており、これら連結部１２３、１２４は横部材１２０の横幅方向に突出していることにより、複数の線状体１１１〜１１７をこれら連結部１２３、１２４に巻き付けると、複数の線状体１１１〜１１７が横部材１２０の長手方向に直交する方向に伸びる軸線回りに巻き付くので、複数の線状体１１１〜１１７が横部材１２０の長手方向に伸びる軸線回りに巻き付く場合に比べて、横部材１２０に対する線状体１１１〜１１７の吊り下げ位置が横部材１２０の横幅方向にずれることを防止でき、横部材１２０を水平に又は水平に近づけて吊り下げることができる。このとき、横部材１２０の凹部１２０ａ、１２０ｂの挿入口が水平方向に向くので、複数の線状体１１１、１１７を凹部１２０ａ、１２０ｂに容易に挿入したり凹部１２０ａ、１２０ｂから容易に引き出したりすることができる。
【００４９】
また、横部材１２０の連結部１２３、１２４は環状溝１２３ａを有しており、この環状溝１２３ａは横部材１２０の長手方向に伸びる中心線Ｃ１上に配置されており、連結部１２３、１２４の外周に沿って周回状に形成されており、複数の線状体１１１〜１１７の１本又は２本以上を挿入可能に構成されているので、複数の線状体１１１〜１１７を環状溝１２３ａに挿入するように連結部１２３、１２４に巻き付けると、複数の線状体１１１〜１１７が横部材１２０の中心線Ｃ１上に位置決めされ、複数の線状体１１１〜１１７を連結部１２３、１２４から抜けてしまうことを防止できる。
【００５０】
尚、上記実施形態の蔓性植物補助具１００は、上述の図示例にのみ限定されるものではなく、本発明の要旨を逸脱しない範囲内において種々変更を加え得ることは勿論である。例えば、本実施形態の蔓性植物補助具１００は７本又は７束の線状体１１１〜１１７と５つの横部材１２０とを有しているが、線状体１１１〜１１７の本数又は束数と横部材１２０の数量はそれぞれ適宜増減してもよい。特に、蔓性植物Ｖの成長に合わせて横部材１２０を適宜追加してもよい。
【００５１】
また、本実施形態の蔓性植物補助具１００における縦部材１１０は一端が繋がった状態で１つのビニールテープを長手方向に複数に引き裂いたものであるが、これに限定されることなく、一端が繋がった状態で布等を一方向に複数に引き裂いたものでもよいし、複数の糸や紐（複数の線状体）を一端で結束（連結）したものでもよい。この場合、複数の糸や紐の色が同一でもよいし、異なっていてもよい。複数の糸や紐の色が異なる場合には、カラフル（色彩が豊か）になり、室内の装飾に使用できる。なお、本実施形態の縦部材１１０は吊り下げ具１１９を有しているが、吊り下げ具１１９がなくてもよい。
【００５２】
本実施形態の蔓性植物補助具１００における横部材１２０、１３０、１４０は合成樹脂製であるが、横部材１２０、１３０、１４０の材質は限定されることなく、木製でもよいし、金属製でもよい。本実施形態の横部材１２０、１３０、１４０は板状であるが断面形状が円形や楕円形や六角形等の多角形からなる棒状でもよい。本実施形態の横部材１２０、１３０、１４０は一方向に伸びているが、横部材１２０、１３０、１４０の形状は限定されることなく、円弧状に湾曲していてもよいし、Ｌ字状やＵ字状やＶ字状やジグザグ状に屈曲していてもよいし、円板状や楕円状でもよいし、三角形や四角形等の多角形でもよいし、中心が開口した円環状や角環状でもよい。なお、本実施形態の横部材１２０、１３０、１４０は２本又は３本以上が互いに連結可能に構成されていることが望ましい。横部材１２０、１３０、１４０を一方向に伸長させることができるからである。
【００５３】
また、本実施形態の凹部１２０ａ、１２０ｂ、１３０ａ、１３０ｂ、１４０ａ、１４０ｂは横部材１２０、１３０、１４０の両側にそれぞれ複数設けられており、一方側の凹部１２０ａ、１３０ａ、１４０ａと他方側の凹部１２０ｂ、１３０ｂ、１４０ｂとは互いに対応する位置に設けられているが、互いに対応する位置に設けられていなくてもよい。例えば、一方側の凹部１２０ａ、１３０ａ、１４０ａは他方側の隣り合う２つの凹部１２０ｂ、１２０ｂ、１３０ｂ、１３０ｂ、１４０ｂ、１４０ｂの間に対応する位置に設けられていてもよい。なお、本実施形態の複数の凹部１２０ａ、１２０ｂ、１３０ａ、１３０ｂ、１４０ａ、１４０ｂの間隔は一定であってもよいし、一定でなくてもよい。一方側の凹部１２０ａ、１３０ａ、１４０ａの間隔と、他方側の凹部１２０ｂ、１３０ｂ、１４０ｂの間隔とが互いに異なっていてもよい。また、本実施形態の凹部１２０ａ、１２０ｂ、１３０ａ、１３０ｂ、１４０ａ、１４０ｂは横部材１２０、１３０、１４０の両側に設けられているが、いずれか一方側にのみ設けられていてもよい。
【００５４】
なお、本実施形態の凹部１２０ａ、１２０ｂ、１４０ａ、１４０ｂの中には一対の突起部１２０ａａ、１２０ａｂ、１２０ｂａ、１２０ｂｂがそれぞれ設けられているが、凹部の中に一対の突起部がなくてもよい。また、本実施形態の凹部１２０ａ、１２０ｂ、１３０ａ、１３０ｂ、１４０ａ、１４０ｂは、複数の線状体１１１〜１１７の１本又は２本以上を挿入すると押し広げられるように弾性変形可能に構成されていることが望ましい。これにより、線状体１１１〜１１７を凹部に挿入すると、凹部が線状体１１１〜１１７を狭持して、横部材１２０、１３０、１４０が保持されるとともに、線状体１１１〜１１７を引っ張ると、凹部が線状体１１１〜１１７によって押し広げられて、線状体１１１〜１１７が凹部から引き抜かれるので、縦部材１１０と横部材１２０、１３０、１４０とを容易に着脱できる。この場合には、連結部１２３、１２４、１３３、１３４、１４３、１４４、１４５、１４６は横部材１２０、１３０、１４０に設けられていなくてもよい。
【００５５】
また、本実施形態の横部材１２０、１３０、１４０における連結部１２３、１２４、１３３、１３４、１４３、１４４、１４５、１４６は線状体１１１〜１１７を巻き付け可能な小片部分であるが、横部材１２０、１３０、１４０が重力によって下がらないように縦部材１１０に連結できればよく、例えば、線状体１１１〜１１７の１本又は２本以上を挿入すると、線状体１１１〜１１７によって押し広げられるように弾性変形可能な凹部であってもよい。線状体１１１〜１１７を凹部に挿入すると、凹部が線状体１１１〜１１７を狭持して、横部材１２０、１３０、１４０を所定の高さ（位置）に保持するからである。
【符号の説明】
【００５６】
１００…蔓性植物補助具、１１０…縦部材、１１１、１１２、１１３、１１４、１１５、１１６、１１７…線状体、１１９…吊り下げ具、１２０、１３０、１４０…横部材、１２０Ａ…上面、１２０Ｂ…下面、１２０ａ、１２０ｂ、１３０ａ、１３０ｂ、１４０ａ、１４０ｂ…凹部、１２０ａａ、１２０ａｂ、１２０ｂａ、１２０ｂｂ…突起部、１２１、１２２、１３１、１３２…側縁、１２３、１２４、１３３、１３４、１４３、１４４、１４５、１４６…連結部、１２３ａ、１３３ａ、１３４ａ、１４３ａ、１４４ａ、１４５ａ、１４６ａ…環状溝、１２７、１２８…切り込み、Ｃ１、Ｃ２…中心線、ｄ…全長
【図１】
0003181655.tif 000003
【図２】
0003181655.tif 000004
【図３】
0003181655.tif 000005
【図４】
0003181655.tif 000006
【図５】
0003181655.tif 000007
【図６】
0003181655.tif 000008